(57)【特許請求の範囲】
【請求項１】
壁裏側に配置されるケースと、壁表側に配置されるパネルを前記ケースに引き付ける伸縮弾性体とを備え、前記ケースには、前記伸縮弾性体の一端が挿通する第１貫通孔と、前記伸縮弾性体の他端が挿通する第２貫通孔とが設けられ、前記伸縮弾性体が前記ケースの背面側に掛け渡されかつ前記伸縮弾性体の一端が前記第１貫通孔を挿通して前記パネルに接続されるとともに前記伸縮弾性体の他端が前記第２貫通孔を挿通して前記パネルに接続されるパネル取付け装置において、
前記伸縮弾性体が２以上の分割伸縮弾性体により形成され、
これら分割伸縮弾性体が前記第１貫通孔および前記第２貫通孔を通り抜けることを阻止するストッパにより、前記各分割伸縮弾性体が互いに連結されている
ことを特徴とするパネル取付け装置。
【請求項２】
請求項１に記載のパネル取付け装置を備えた天井埋込スピーカ。
【発明の詳細な説明】
【技術分野】
【０００１】
本発明は、壁に取り付けられるパネルのパネル取付け装置および天井埋込スピーカに関する。
【背景技術】
【０００２】
パネル取付け装置に関する技術として、特許文献１に記載の技術が知られている。
この技術では、コイルばねを用いてパネルを固定する。すなわち、ケースは天井裏に配置されるとともにパネルが天井の表側に配置される。そして、コイルばねはケースの背面側に掛け渡され、コイルばねの両端が引き伸ばされてパネルに接続される。このような構成によれば、パネルを取り付けるとき、コイルばねの両端を引き伸ばしてパネルと接続することによりパネルが天井に固定されるため、ねじ止め等によるパネルの締結作業が不要となる。
【先行技術文献】
【特許文献】
【０００３】
【特許文献１】特開平０８−０３３０７６号公報
【発明の概要】
【発明が解決しようとする課題】
【０００４】
ところで、パネルがコイルばねにより天井に固定されている状態で、コイルばねがなんらかの理由で破断した場合、パネルが天井から落下することが考えられる。コイルばねの破断は、コイルばねの表面の一部にめっき剥がれが生じること、コイルばねが長期に亘って湿気に晒され、めっき剥がれ部分の強度が低下すること等、複数の要因が重なって生じる可能性が考えられる。
【０００５】
本発明はこのような問題を想定してなされたものであり、その目的は、壁に取り付けられるパネルの落下を抑制することのできるパネル取付け装置および天井埋込スピーカを提供することにある。
【課題を解決するための手段】
【０００６】
（１）請求項１に記載の発明は、壁裏側に配置されるケースと、壁表側に配置されるパネルを前記ケースに引き付ける伸縮弾性体とを備え、前記ケースには、前記伸縮弾性体の一端が挿通する第１貫通孔と、前記伸縮弾性体の他端が挿通する第２貫通孔とが設けられ、前記伸縮弾性体が前記ケースの背面側に掛け渡されかつ前記伸縮弾性体の一端が前記第１貫通孔を挿通して前記パネルに接続されるとともに前記伸縮弾性体の他端が前記第２貫通孔を挿通して前記パネルに接続されるパネル取付け装置において、前記伸縮弾性体が２以上の分割伸縮弾性体により形成され、これら分割伸縮弾性体が前記第１貫通孔および前記第２貫通孔を通り抜けることを阻止するストッパにより、前記各分割伸縮弾性体が互いに連結されていることを要旨とする。
【０００７】
この発明によれば、仮に一方の分割伸縮弾性体が破断したとしても、ストッパが付いている分割伸縮弾性体が第１または第２貫通孔を通り抜けないため、パネルは落下せず、片持ちで支持される。すなわち、パネルの落下が抑制される。
【０００８】
また、壁裏側に配置されるケースと、壁表側に配置されるパネルを前記ケースに引き付ける伸縮弾性体とを備え、前記ケースには、前記伸縮弾性体の一端が挿通する第１貫通孔と、前記伸縮弾性体の他端が挿通する第２貫通孔とが設けられ、前記伸縮弾性体が前記ケースの背面側に掛け渡されかつ前記伸縮弾性体の一端が前記第１貫通孔を挿通して前記パネルに接続されるとともに前記伸縮弾性体の他端が前記第２貫通孔を挿通して前記パネルに接続されるパネル取付け装置において、前記伸縮弾性体の中間部分には、当該伸縮弾性体が前記第１貫通孔および前記第２貫通孔を通り抜けることを阻止するストッパが２個以上取り付けられ、前記各ストッパは、前記伸縮弾性体の周りに巻かれかつ前記伸縮弾性体を締め付ける結束バンドにより形成されていることを特徴としてもよい。
【０００９】
この構成では、伸縮弾性体の中間部分にストッパが取り付けられているため、この伸縮弾性体が貫通孔を通り抜けない。このため、仮にパネルが落下したとしても、ストッパが貫通孔で引っ掛かるため、パネルは落下せずに、片持ちで支持される。このように、仮に伸縮弾性体が破断したとしてもパネルの落下が抑制される。また、ストッパは、伸縮弾性体の中間部分に位置するので、パネルを取り付ける際に伸縮弾性体を引っ張っても、その伸張摺動の妨げにならない。
【００１０】
（２）請求項２に記載の発明は、請求項１に記載のパネル取付け装置を備えた天井埋込スピーカである。
【発明の効果】
【００１１】
本発明によれば、壁に取り付けられるパネルの落下を抑制することのできるパネル取付け装置および天井埋込スピーカを提供することができる。
【図面の簡単な説明】
【００１２】
【図１】天井埋込スピーカについて斜視構造を示す斜視図。
【図２】図１のＡ−Ａ線に沿う部分断面図。
【図３】パネルの背面図。
【図４】フックとパネルとの掛かり付け状態を示す斜視図。
【図５】ストッパの斜視図。
【図６】コイルばねが破断したときのパネルの状態を示し、（ａ）はコイルばねがストッパの右側で破断したときの状態を示す部分断面図、（ｂ）はコイルばねがストッパの左側で破断したときの状態を示す部分断面図、（ｃ）はコイルばねが２つのストッパの中間で破断したときの状態を示す部分断面図。
【図７】実施形態に係る天井埋込スピーカを示す部分断面図。
【図８】天井埋込スピーカの参考例を示す部分断面図。
【発明を実施するための形態】
【００１３】
実施形態の天井埋込スピーカについて説明する。
図１および図２に示すように、天井埋込スピーカ１は、スピーカ２０と、パネル３０と、スピーカ２０にパネル３０を取り付けるパネル取付け装置１０とを備えている。パネル取付け装置１０は、スピーカ２０を収容するケース４０と、パネル３０とケース４０とを接続させる接続構造体５０とを備えている。
【００１４】
スピーカ２０とケース４０と接続構造体５０とは天井埋込構造体６０を構成する。天井埋込構造体６０は、天井９０に開けた穿孔９１を通じて天井裏に配置される。穿孔９１はパネル３０により塞がれる。
【００１５】
なお、以降の説明では、天井埋込構造体６０において室内側から見える部分を正面側とし、正面の反対側を背面側とする。同様に、パネル３０において、室内側から見える部分を正面側として、正面の反対側を背面側とする。
【００１６】
スピーカ２０は、コイルおよび振動板および磁石を含むスピーカ本体２１と、外部配線を接続するコネクタ２２と、適切なインピーダンスを選択可能とするマッチングトランス２３とを備えている。
【００１７】
ケース４０は、スピーカ２０の背面部を覆うカバー４１と、スピーカ２０を支持するフレーム４３とを備えている。
カバー４１はドーム状に形成されている。カバー４１の背面部には、コイルばね５１（伸縮弾性体）の案内溝４２が形成されている。案内溝４２は、カバー４１の最外周に沿っている。ここで、最外周とは、カバー４１の中心軸を含む断面図における外周を示す。
【００１８】
フレーム４３には、円形のスピーカ配置孔４４が形成されている。スピーカ配置孔４４にはスピーカ本体２１が配置されている。スピーカ配置孔４４の外側に２つの貫通孔すなわち第１貫通孔４５Ａおよび第２貫通孔４５Ｂが形成されている。２つの貫通孔４５Ａ，４５Ｂは、スピーカ配置孔４４を間に挟んで互いに向いあったところに配置されている。貫通孔４５Ａ，４５Ｂの大きさは、コイルばね５１の外径よりも大きい。すなわち、コイルばね５１は、これら貫通孔４５Ａ，４５Ｂに挿通した状態で伸縮摺動可能である。
【００１９】
図３に示すように、パネル３０は、パネルフレーム３１と、パネルフレーム３１に張り付けられるネット３２と、パネル３０の背面側に設けられている接続部３３とを備えている。パネルフレーム３１および接続部３３はともに円環状に形成されている。接続部３３の外周は、接続部３３とパネルフレーム３１との間に隙間が設けられるようにパネルフレーム３１に固定されている。接続部３３には、フック５２が掛かる掛部３４が２箇所形成されている。
【００２０】
図４に示すように、掛部３４は、フック５２が挿通する２つのフック孔３５により構成されている。２つのフック孔３５の間の距離は、２つのフック孔３５にフック５２が掛かるように設定されている。
【００２１】
図２に示すように、接続構造体５０（参考例）は、コイルばね５１と、２つのストッパ５３と、２つのフック５２とを備えている。
各フック５２は、コイルばね５１の端部に取り付けられている。フック５２の基部幅５２Ａ（図４参照）は、貫通孔４５Ａ，４５Ｂよりも大きい。すなわち、フック５２が貫通孔４５Ａ，４５Ｂを通過しない構造とされている。
【００２２】
コイルばね５１は案内溝４２に沿って配置されている。すなわち、コイルばね５１は、カバー４１の背面部を通って、第１貫通孔４５Ａから第２貫通孔４５Ｂまで掛け渡されている。コイルばね５１の一端は、第１貫通孔４５Ａを挿通してフレーム４３の正面側に出されている。コイルばね５１の他端は、第２貫通孔４５Ｂを挿通してフレーム４３の正面側に出されている。
【００２３】
コイルばね５１の中間部分にはストッパ５３が取り付けられている。
ストッパ５３とコイルばね５１との接続強度は、設定値以上とされている。引っ張り強度がパネル荷重よりも大きくされる。例えば、引っ張り強度の設定値は、パネル荷重の１５倍に設定される。なお、引っ張り強度は、ストッパ５３を固定した状態でコイルばね５１の長さ方向にストッパ５３を引っ張ったとき、ストッパ５３が移動し始める力の大きさを示す。
【００２４】
ストッパ５３としては、取り付け容易なものを用いることが好ましい。例えば、市販の結束バンド（所謂、インシュロック（登録商標））を用いることが好ましい。結束バンドは、工具により、結束圧力を調整することができるため、所望の引っ張り強度を容易に実現することができる。
【００２５】
また、結束バンドは、次に要件を満たすものが採用される。すなわち、その要件とは、当該結束バンドをコイルばね５１に取り付け不要部分を除去してストッパ５３を形成したとき、ストッパ５３を含む部分の最外径がフレーム４３の貫通孔４５Ａ，４５Ｂよりも大きいことである。
【００２６】
ストッパ５３の材料としては、カバー４１に対して滑り易く、耐候性が高く、かつ難燃性の樹脂が採用される。例えば、ポリフッ化ビニリデン樹脂、ＥＴＦＥ（Ethylene-Tetrafluoroethylene）、ＦＥＰ（Fluorinated‐Ethylene‐Propylene）、ＰＥＥＫ（Polyetheretherketone）、ナイロン等により形成される。
【００２７】
図５を参照して、結束バンド７０について説明する。
結束バンド７０は、ヘッド部７１と、バンド部７２とを備えている。
ヘッド部７１には、バンド部７２が挿通する挿通孔７３が形成されている。挿通孔７３の内側には爪が形成されている。バンド部７２には、爪に掛かる複数の段部が形成されている。段部は、バンド部７２がヘッド部７１に挿通する方向（順方向）にバンド部７２が移動するときは爪との接触により容易に変形し、バンド部７２が逆方向に移動するときは爪との接触により殆ど変形しない。すなわち、ヘッド部７１にバンド部７２を挿通して環を形成したとき、一旦形成された環が拡大しにくい構造とされている。このため、結束バンド７０による形成されるストッパ５３は長期にわたって所定圧力以上でコイルばね５１に固定される。
【００２８】
結束バンド７０は、結束工具を用いてコイルばね５１に取り付けられている。締め付け圧力は、上記した引っ張り強度が設定値以上となるように設定される。例えば、結束工具による締め付け圧力は６０Ｎに設定される。
【００２９】
＜天井埋込スピーカの取り付け方法＞
天井埋込スピーカ１の取り付け方法について説明する。
まず、天井埋込構造体６０が入る寸法の孔（穿孔９１）を天井９０に形成する。
【００３０】
例えば、天井埋込構造体６０の寸法が縦２１５ｃｍ、横１３４ｃｍ、高さ８９ｃｍの場合は直径１５０ｃｍの孔（穿孔９１）を形成する。そして、この孔（穿孔９１）を通じて天井埋込構造体６０を天井裏に配置し、天井埋込構造体６０の位置を調整することによりスピーカ本体２１を穿孔９１に対向させる。
【００３１】
次に、一方のフック５２を引っ張り出し、パネル３０の一方の掛部３４にフック５２を引っ掛ける。また、同様に、他方のフック５２を引っ張り出し、パネル３０の他方の掛部３４にフック５２を引っ掛ける。この状態のとき、パネル３０にコイルばね５１の引っ張り力が加わる。このため、パネル３０が天井埋込構造体６０に引っ張られ天井９０に押圧された状態でパネル３０が固定される。以上の作業により、天井埋込スピーカ１の取り付け作業が完了する。
【００３２】
すなわち、天井埋込スピーカ１の取り付けは、第１ステップで天井９０に孔を形成し、第２ステップで、天井埋込構造体６０を配置し、第３ステップでパネル３０にフック５２を掛けるという、３ステップで作業が完了する。
【００３３】
＜ストッパの作用＞
図６を参照して、コイルばね５１が破断したときのストッパ５３の作用を説明する。
なお、この説明では、右側というときは図６を正面視して右側にある部分を示し、左側というときは図６を正面視して左側にある部分を示す。または、破断した２つのコイルばね５１のうち破断部分Ａよりも右側のコイルばね５１を右側コイルばね５１Ｒとし、破断部分Ａよりも左側のコイルばね５１を左側コイルばね５１Ｌとする。
【００３４】
図６（ａ）は、コイルばね５１が、２つのストッパ５３よりも右側で破断したときの状態を示す。コイルばね５１が破断したとき、天井９０側にパネル３０を引き付ける力がなくなるため、パネル３０が落下し始める。このため、破断した２つのコイルばね５１もパネル３０に引きずられて落下し始める。
【００３５】
２つのコイルばね５１のうち右側コイルばね５１Ｒはストッパ５３が付いていないため、第１貫通孔４５Ａを抜け落ちる。一方、２つのコイルばね５１のうち左側コイルばね５１Ｌにはストッパ５３が付いているため、ストッパ５３が第２貫通孔４５Ｂに当たって左側コイルばね５１Ｌの落下が止められる。すなわち、パネル３０は、左側コイルばね５１Ｌにより片持ち状態で支持される。
【００３６】
図６（ｂ）は、コイルばね５１が、２つのストッパ５３よりも左側で破断したときの状態を示す。コイルばね５１が破断したとき、上記と同様に、パネル３０が落下し始める。２つのコイルばね５１のうち左側コイルばね５１Ｌはストッパ５３が付いていないため、第２貫通孔４５Ｂを抜け落ちる。一方、２つのコイルばね５１のうち右側コイルばね５１Ｒにはストッパ５３が付いているため、ストッパ５３が第１貫通孔４５Ａに当たって右側コイルばね５１Ｒの落下が止められる。すなわち、パネル３０は、右側コイルばね５１Ｒにより片持ち状態で支持される。
【００３７】
図６（ｃ）は、コイルばね５１が、２つのストッパ５３の間で破断したときの状態を示す。コイルばね５１が破断したとき、上記と同様に、パネル３０が落下し始める。
２つのコイルばね５１のうち右側コイルばね５１Ｒは、ストッパ５３が付いているため、ストッパ５３が第１貫通孔４５Ａに当たって右側コイルばね５１Ｒの落下が止められる。また同様に、２つのコイルばね５１のうち左側コイルばね５１Ｌにもストッパ５３が付いているため、ストッパ５３が第２貫通孔４５Ｂに当たって左側コイルばね５１Ｌの落下が止められる。すなわち、２つのストッパ５３の間で破断したとき、左側コイルばね５１Ｌと右側コイルばね５１Ｒとによりパネル３０が支持される。
【００３８】
図７を参照して、実施形態に係る接続構造体５０について説明する。
接続構造体５０は、上記参考例の接続構造体５０に対して次の変更を加えたものとなっている。すなわち、上記参考例の接続構造体５０ではコイルばね５１の外周にストッパ５３を取り付けているが、このような構造に代えて、コイルばね１２０を２つのコイルばね１２１，１２２（分割伸縮弾性体）により構成し両者をストッパ１１０により連結する構造とする。以下、この変更にともない生じる前記参考例の接続構造体５０の構成からの詳細な変更について説明する。なお、上記天井埋込スピーカ１と共通する構成については同一の符合を付してその説明を省略する。
【００３９】
コイルばね１２０は、第１コイルばね１２１と、第２コイルばね１２２とにより構成されている。第１コイルばね１２１および第２コイルばね１２２それぞれの一端には、ストッパ１１０を取り付けるための取付環１３０が形成されている。第１コイルばね１２１および第２コイルばね１２２それぞれの一端には、フック５２を取り付けるための取付環１４０が形成されている。
【００４０】
第１コイルばね１２１と第２コイルばね１２２とはストッパ１１０により互いに締結されている。ストッパ１１０は結束バンド７０により構成されている。また、コイルばね１２０の一端（第１コイルばね１２１の一端）は、第１貫通孔４５Ａを挿通している。コイルばね１２０の他端（第２コイルばね１２２の一端）は、第２貫通孔４５Ｂを挿通している。
【００４１】
第１コイルばね１２１と第２コイルばね１２２とを結束バンド７０により締結するときは、第１コイルばね１２１の取付環１３０と第２コイルばね１２２の取付環１３０とを重ね、この２つの取付環１３０に結束バンド７０を挿通する。そして、バンド部７２をヘッド部７１の挿通孔７３に挿入し、バンド部７２の最終段まで締める。これにより、第１コイルばね１２１と第２コイルばね１２２が連結される。なお、この実施形態の接続構造体５０で用いられる結束バンド７０としては、バンド部７２の最終段まで締めバンド部７２のあまり部分を除去してストッパ１１０を形成したとき、ストッパ１１０の最大径が貫通孔４５Ａ，４５Ｂよりも大きくなるものが用いられる。
【００４２】
次に、コイルばね１２０が破断するときのストッパ１１０の作用について説明する。
第１コイルばね１２１が破断したとき、第１コイルばね１２１のうちストッパ１１０が付いていない分断片が第１貫通孔４５Ａを通り抜ける。一方、第２コイルばね１２２にはストッパ１１０が付いているため、ストッパ１１０と第２貫通孔４５Ｂとが当たって第２コイルばね１２２の落下が止められる。このため、パネル３０は、第２コイルばね１２２により片持ち状態で支持される。
【００４３】
第２コイルばね１２２が破断したとき、第２コイルばね１２２のうちストッパ１１０が付いていない分断片が第２貫通孔４５Ｂを通り抜ける。一方、第１コイルばね１２１にはストッパ１１０が付いているため、ストッパ１１０と第１貫通孔４５Ａとが当たって第１コイルばね１２１の落下が止められる。このため、パネル３０は、第１コイルばね１２１により片持ち状態で支持される。
【００４４】
＜参考例＞
図８を参照して、接続構造体５０の他の参考例について説明する。
この接続構造体５０は、上記参考例の構成に対して次の変更を加えたものとなっている。すなわち、上記参考例ではコイルばね５１の外周にストッパ５３を取り付けているが、このような構造に代えて、コイルばね５１にストッパ２１０を掛り付ける構造としてもよい。
【００４５】
ストッパ２１０は、コイルばね５１に引っ掛ける留め金である。
ストッパ２１０は、掛付環２２０を形成するように針金を捻って形成されている。ストッパ２１０をコイルばね５１に掛け付けるときは、針金が捻られている部分をコイルばね５１に押し当てかつ回転させることにより掛付環２２０を開きストッパ２１０をコイルばね５１に掛け付ける。なお、上記掛付環２２０の最大径は貫通孔４５Ａ，４５Ｂよりも大きい。コイルばね５１が破断したときのストッパ２１０の作用については、先に挙げた参考例の接続構造体５０を有する天井埋込スピーカの作用と同様である。
【００４６】
（実施形態の効果）
本実施形態によれば以下の効果が得られる。
（１）本実施形態の参考例の接続構造体５０では、コイルばね５１の中間部分には、コイルばね５１が第１貫通孔４５Ａおよび第２貫通孔４５Ｂを通り抜けることを阻止するストッパ５３が取り付けられていることを要旨とする。
【００４７】
仮に、コイルばね５１が破断し２つに分断したとすると、いずれか一方のコイルばね５１にストッパ５３が付く。ストッパ５３が付いていないコイルばね５１は、このコイルばね５１が貫通孔４５Ａ，４５Ｂを通り抜けるが、ストッパ５３が付いているコイルばね５１は、貫通孔４５Ａ，４５Ｂを通り抜けない。このため、少なくとも一方のコイルばね５１が貫通孔４５Ａ，４５Ｂに引っ掛かる。このため、パネル３０は落下せずに、片持ちで支持される。このように、仮にコイルばね５１が破断したとしてもパネル３０の落下が抑制される。また、ストッパ５３は、コイルばね５１の中間部分に位置するので、パネル３０を取り付ける際に、コイルばね５１を引っ張っても、コイルばね５１の伸張摺動の妨げにならない。
【００４８】
また、ストッパ５３がコイルばね５１に２個取り付けられている。
ストッパ５３が取り付けられているところでコイルばね５１が分断した場合、ストッパ５３がコイルばね５１から外れるおそれがある。そこで、本実施形態では、コイルばね５１にストッパ５３を２個取り付けている。この場合、いずれか一方のストッパ５３のところでコイルばね５１が破断し、かつこのストッパ５３がコイルばね５１から外れたとしても、他方のストッパ５３がコイルばね５１に取り付けられた状態に維持される。このため、仮に一方のストッパ５３が外れたとしてもパネル３０の落下が阻止される。
【００４９】
また、カバー４１に対するストッパ５３の滑りがよい部材により、ストッパ５３が形成されている。
天井埋込スピーカ１を天井９０に取り付ける作業において、パネル３０を天井９０に取り付けるとき、フック５２を引っ張り出し、パネル３０の一方の掛部３４にフック５２を引っ掛ける。このとき、コイルばね５１の伸張により、ストッパ５３とカバー４１とが擦れる。カバー４１に対するストッパ５３の滑りが悪いとき、コイルばね５１が円滑に伸張しなくなるため、パネル３０の取り付け性が低下する。そこで、本実施形態では、ストッパ５３を、カバー４１に対するストッパ５３の滑りがよい部材により形成する。これにより、パネル３０取り付け性の低下を抑制することができる。
【００５０】
（２）本実施形態では、コイルばね１２０が、２個のコイルばね（分割伸縮弾性体）すなわち第１コイルばね１２１および第２コイルばね１２２により構成されている。第１コイルばね１２１と第２コイルばね１２２とはストッパ１１０により互いに連結されている。
【００５１】
仮に、一方のコイルばね１２１，１２２が破断したとすると、いずれか一方の分断片にストッパ１１０が付く。このため、ストッパ１１０が付いていないコイルばね１２１，１２２は貫通孔４５Ａ，４５Ｂを通り抜けるが、ストッパ１１０が付いているコイルばね１２１，１２２は貫通孔４５Ａ，４５Ｂを通り抜けず、当該貫通孔４５Ａ，４５Ｂに引っ掛かる。このため、パネル３０は落下せずに、片持ちで支持される。このように、仮に一方のコイルばね１２１，１２２が破断したとしても、パネル３０の落下が抑制される。
【００５２】
（３）本実施形態の天井埋込スピーカ１は上記パネル取付け装置１０を備えている。
天井埋込スピーカ１は天井９０に取り付けられる。天井９０への取り付けは、作業がしにくいため取り付け性の高いものが要求される。本実施形態の天井埋込スピーカ１では、コイルばね５１でパネル３０を固定するため、天井埋込スピーカ１の取り付けが容易である。また、パネル取付け装置１０を有するため、このようなストッパ５３，１１０，２１０のないものに比べ、パネル３０が落下するおそれが小さい。
【００５３】
（変形例）
本発明の実施態様は上記に例示した態様に限られるものではなく、例えば以下のように変更することもできる。また以下の各変形例は、上記実施形態についてのみ適用されるものではなく、異なる変形例同士を互いに組み合わせて実施してもよい。
【００５４】
・先に挙げた参考例の接続構造体５０では、コイルばね５１にストッパ５３が２個取り付けられているが、ストッパ５３の個数は少なくとも１個あればよい。ストッパ５３が１個の場合においても、上記（１）の効果が得られる。また、ストッパ５３の個数を３個以上としてもよい。
【００５５】
・上記実施形態では、カバー４１をドーム状に形成しているが、カバー４１の形状はこれに限定されない。例えば、カバー４１の側面を円筒状に形成することもできる。カバー４１の底面部分を平坦にすることもできる。
【００５６】
・上記実施形態では、コイルばね５１の案内溝４２を、カバー４１の背面部に形成しているが、案内溝４２を別部材により形成して、フレーム４３に取り付ける構造としてもよい。この場合は、カバー４１の形態に拘わらず、案内溝４２を所望のカーブを有したものとすることができる。
【００５７】
・上記実施形態では、コイルばね５１を１本または２本のコイルばねにより構成しているが、コイルばねの形態はこれらに限定されない。例えば、コイルばね５１を３本以上のコイルばねにより構成してもよい。また、コイルばね５１の両端部に直線部分を設け、直線部分の先にフック５２を取り付ける構造としてもよい。また、コイルばね５１の中間部分に直線部分を設け、この直線部分にストッパ５３を固定する構造としてもよい。
【００５８】
・上記実施形態に係る接続構造体５０では、第１コイルばね１２１と第２コイルばね１２２とをストッパ１１０により連結し、ストッパ１１０を結束バンド７０により形成しているが、ストッパ１１０の形態はこれに限定されない。例えば、結束バンド７０に代えて、第１貫通孔４５Ａおよび第２貫通孔４５Ｂの径よりも大きいコイルばねまたはリングを用いることもできる。
【００５９】
・上記実施形態では、パネル取付け装置１０を天井埋込スピーカ１に適用しているが、その適用はスピーカのみに限定されない。パネル３０をケース４０側に引き付ける構造のもの、またはパネル３０の取り付け構造をケース４０側に引き付ける構造に変更することができるものに対して、パネル取付け装置１０を適用することができる。例えば、天井に取り付けられる照明用の化粧板（パネル）の取付構造についてパネル取付け装置１０を適用することができる。
【符号の説明】
【００６０】
１…天井埋込スピーカ、１０…パネル取付け装置、２０…スピーカ、２１…スピーカ本体、２２…コネクタ、２３…マッチングトランス、３０…パネル、３１…パネルフレーム、３２…ネット、３３…接続部、３４…掛部、３５…フック孔、４０…ケース、４１…カバー、４２…案内溝、４３…フレーム、４４…スピーカ配置孔、４５Ａ…第１貫通孔、４５Ｂ…第２貫通孔、５０…接続構造体、５１…コイルばね、５１Ｒ…右側コイルばね、５１Ｌ…左側コイルばね、５２…フック、５２Ａ…基部幅、５３…ストッパ、６０…天井埋込構造体、７０…結束バンド、７１…ヘッド部、７２…バンド部、７３…挿通孔、９０…天井、９１…穿孔、１１０…ストッパ、１２０…コイルばね、１２１…第１コイルばね、１２２…第２コイルばね、１３０…取付環、１４０…取付環、２１０…ストッパ、２２０…掛付環。
【図１】
0005634419.tif 000002
【図２】
0005634419.tif 000003
【図３】
0005634419.tif 000004
【図４】
0005634419.tif 000005
【図５】
0005634419.tif 000006
【図６】
0005634419.tif 000007
【図７】
0005634419.tif 000008
【図８】
0005634419.tif 000009